【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
第１のライティングデバイスと、第２のライティングデバイスと、前記第１及び第２のライティングデバイスを個別に制御する制御ユニットとを備える、ライティングユニットであって、
前記第１のライティングデバイスが、少なくとも第１の発光極大と第１の色点ｘ１，ｙ１と第１の相関色温度Ｔ１とをもつ第１のスペクトル分布をもつ第１のライティングデバイス光を提供し、
前記第２のライティングデバイスが、少なくとも７５ｎｍだけ離間した少なくとも２つの発光極大と第２の色点ｘ２，ｙ２と第２の相関色温度Ｔ２とをもつ第２のスペクトル分布をもつ第２のライティングデバイス光を提供し、
前記ライティングユニットは、前記コントローラにより前記第１のライティングデバイス及び第２のライティングデバイスの相対強度を変更することにより前記第１のライティングデバイス光と前記第２のライティングデバイス光とのうちの１つ又は複数を含むライティングユニット光を生成し、
前記第１の発光極大と前記少なくとも２つの発光極大とが相互に互いから少なくとも１０ｎｍだけ異なった状態で、前記第１のスペクトル分布と前記第２のスペクトル分布とが異なり、（ｉ）０．９≦ｘ１／ｘ２≦１．１、（ｉｉ）０．９≦ｙ１／ｙ２≦１．１、及び（ｉｉｉ）０．９≦Ｔ１／Ｔ２≦１．１のうちの１つ又は複数が適用される、
ライティングユニット。
【請求項２】
前記第１及び第２のライティングデバイスのうちの少なくとも１つが、少なくとも１５ｎｍの半値全幅（ＦＷＨＭ）をもつ１つ又は複数の発光帯域を伴うスペクトル分布をもつライティングデバイス光を提供する、
請求項１に記載のライティングユニット。
【請求項３】
前記第１及び第２のライティングデバイスのうちの少なくとも１つが、少なくとも２０ｎｍであって最大で５０ｎｍの半値全幅（ＦＷＨＭ）をもつ３つ以上の発光帯域を伴うスペクトル分布をもつライティングデバイス光を提供する、
請求項１又は請求項２に記載のライティングユニット。
【請求項４】
前記第１及び第２のライティングデバイスのうちの少なくとも１つが、少なくとも７５ｎｍだけ離間した少なくとも３つの発光極大をもつスペクトル分布をもつライティングデバイス光を提供する、
請求項１から請求項３のいずれか一項に記載のライティングユニット。
【請求項５】
前記第１及び第２のライティングデバイスのうちの１つ又は複数が、ルミネセント量子ドットを備え、及び／又は、前記第１及び第２のライティングデバイスのうちの１つ又は複数が、１つ又は複数のライン発光体を備え、及び／又は、前記第１及び第２のライティングデバイスのうちの少なくとも１つが、１つ又は複数のバンド発光体を備え、前記１つ又は複数のライン発光体が、Ｐｒ３＋、Ｓｍ３＋、Ｅｕ３＋、Ｔｂ３＋、Ｄｙ３＋、Ｈｏ３＋、及びＴｍ３＋からなる群から選択された１つ又は複数を含むルミネセント材料からなる群から選択され、前記１つ又は複数のバンド発光体が、Ｅｕ２＋、Ｃｅ３＋及び量子ドットからなる群から選択された１つ又は複数を含むルミネセント材料からなる群から選択される、
請求項１から請求項４のいずれか一項に記載のライティングユニット。
【請求項６】
センサをさらに備え、前記制御ユニットが、特に、前記センサのセンサ信号の関数として前記第１及び第２のライティングデバイスを制御し、前記ライティングユニットは、ユーザーインターフェースをさらに備え、前記制御ユニットは、前記ユーザーインターフェースにより提供される入力パラメータに応じて、前記第１のライティングデバイス光と前記第２のライティングデバイス光とのうちの１つ又は複数の強度を制御する、
請求項１から請求項５のいずれか一項に記載のライティングユニット。
【請求項７】
前記第１及び第２のライティングデバイスのうちの少なくとも１つが、少なくとも１００ｎｍの半値全幅（ＦＷＨＭ）をもつ１つ又は複数の発光帯域を伴うスペクトル分布をもつライティングデバイス光を提供する、
請求項１から請求項６のいずれか一項に記載のライティングユニット。
【請求項８】
前記第１及び第２のライティングデバイスのうちの一方が、少なくとも１００ｎｍの半値全幅（ＦＷＨＭ）をもつ１つ又は複数の発光帯域を伴うスペクトル分布をもつライティングデバイス光を提供し、前記第１及び第２のライティングデバイスのうちの他方が、少なくとも７５ｎｍだけ離間した少なくとも３つの発光極大をもつスペクトル分布をもつライティングデバイス光を提供する、
請求項７に記載のライティングユニット。
【請求項９】
前記第１及び第２のライティングデバイスのうちの一方が、３つ以下の発光極大をもつスペクトル分布をもつライティングデバイス光を提供し、前記ライティングデバイスのうちの他方が、少なくとも７５ｎｍだけ離間した少なくとも４つの発光極大をもつスペクトル分布をもつライティングデバイス光を提供する、
請求項１から請求項８のいずれか一項に記載のライティングユニット。
【請求項１０】
前記第１のスペクトル分布と前記第２のスペクトル分布とが、５０％以下のスペクトルの重なりをもつ、
請求項１から請求項９のいずれか一項に記載のライティングユニット。
【請求項１１】
（ｉ）０．９５≦ｘ１／ｘ２≦１．０５、（ｉｉ）０．９５≦ｙ１／ｙ２≦１．０５、及び（ｉｉｉ）０．９５≦Ｔ１／Ｔ２≦１．０５のうちの１つ又は複数が適用され、
前記第１のライティングデバイスが、（ｉ）第１のソリッドステート光源放射光を提供する第１のソリッドステート光源と、（ｉｉ）前記第１のソリッドステート光源放射光の少なくとも一部分を第１のルミネセント材料光に変換する第１のルミネセント材料とを備え、前記第１のライティングデバイス光が、（ａ）前記第１のルミネセント材料光、又は（ｂ）前記第１のルミネセント材料光と前記第１のソリッドステート光源放射光とを含み、
前記第２のライティングデバイスが、（ｉ）第２のソリッドステート光源放射光を提供する第２のソリッドステート光源と、（ｉｉ）前記第２のソリッドステート光源放射光の少なくとも一部分を第２のルミネセント材料光に変換する第２のルミネセント材料とを備え、前記第２のライティングデバイス光が、（ａ）前記第２のルミネセント材料光、又は（ｂ）前記第２のルミネセント材料光と前記第２のソリッドステート光源放射光とを含む、
請求項１から請求項１０のいずれか一項に記載のライティングユニット。
【請求項１２】
前記第１のライティングデバイスが、第１の演色評価数ＣＲＩ１をもつ第１のライティングデバイス光を提供し、前記第２のライティングデバイスが、第２の演色評価数ＣＲＩ２をもつ第２のライティングデバイス光を提供し、０．８≦ＣＲＩ１／ＣＲＩ２≦１．２が適用される、
請求項１から請求項１１のいずれか一項に記載のライティングユニット。
【請求項１３】
前記第１のスペクトル分布が、少なくとも７５ｎｍだけ離間した少なくとも２つの第１の発光極大をもち、前記第２のスペクトル分布が、少なくとも７５ｎｍだけ離間した少なくとも２つの発光極大をもち、少なくとも２つの第１の発光極大と少なくとも２つの第２の発光極大とがすべて相互に互いから少なくとも１０ｎｍだけ異なっている、
請求項１から請求項１２のいずれか一項に記載のライティングユニット。
【請求項１４】
前記コントローラにより前記第１のライティングデバイス光と前記第２のライティングデバイス光との強度を個別に制御するステップを有する、
請求項１から請求項１３のいずれか一項に記載のライティングユニットからのライティングユニット光により提供されるカラーコントラストを制御する方法。
【請求項１５】
カラーコントラストを強調するための、グラフィカル業務用ライティングのための、印刷業務用ライティングのための、手術室ライティングのための、又は教育用ライティングのための、
請求項１から請求項１３のいずれか一項に記載のライティングユニットの使用。